【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
表示された仮想物体に対するユーザ操作に応じて前記仮想物体の表示を制御する制御部を備え、
前記制御部は、前記仮想物体を移動させる際に、前記仮想物体の移動経路付近に存在する実物体との位置関係に応じて前記仮想物体の表示制御を行う、情報処理装置。
【請求項２】
前記制御部は、前記ユーザ操作が行われた後、さらなるユーザ操作なしに物体を移動させて表示させる、請求項１に記載の情報処理装置。
【請求項３】
前記制御部は、前記仮想物体に対する所定のユーザ操作の移動方向および移動速度に基づく前記仮想物体の移動速度および移動経路を取得する、請求項２に記載の情報処理装置。
【請求項４】
前記制御部は、前記仮想物体が前記実物体を避けて移動するように表示制御を行う、請求項３に記載の情報処理装置。
【請求項５】
前記制御部は、前記仮想物体が前記実物体を通過して移動するように表示制御を行う、請求項３に記載の情報処理装置。
【請求項６】
前記制御部は、近接する前記実物体に関連付けられる情報に基づいて前記仮想物体の移動の仕方が変わるように表示制御を行う、請求項３に記載の情報処理装置。
【請求項７】
前記制御部は、前記仮想物体に関連付けられる情報に基づいて、前記仮想物体の移動の仕方が変わるように表示制御を行う、請求項３に記載の情報処理装置。
【請求項８】
前記制御部は、近接する前記実物体の性質を表す情報に基づいて、前記仮想物体が前記実物体を避けて移動する、または前記仮想物体が前記実物体を通過して移動するように表示制御を行う、請求項６に記載の情報処理装置。
【請求項９】
前記制御部は、前記実物体を通過する際、前記実物体の性質に応じて前記仮想物体の透過度を制御する、請求項８に記載の情報処理装置。
【請求項１０】
前記移動速度は、前記所定のユーザ操作時の移動速度と、表示面との仮想的な摩擦係数に基づいて算出される、請求項３に記載の情報処理装置。
【請求項１１】
前記仮想的な摩擦係数は、前記仮想物体のデータ量に比例して設定される、請求項１０に記載の情報処理装置。
【請求項１２】
前記仮想物体は、アプリケーションＧＵＩ、メディアファイル、または画像データである、請求項１〜１１のいずれか１項に記載の情報処理装置。
【請求項１３】
前記制御部は、前記仮想物体の移動制御中は、前記仮想物体への操作入力を受付けない、請求項１〜１２のいずれか１項に記載の情報処理装置。
【請求項１４】
前記制御部は、前記仮想物体の移動制御中に、前記仮想物体に近接するユーザの手が特定の形状である場合は、前記仮想物体が前記ユーザの手に衝突して止まるよう制御する、請求項１３に記載の情報処理装置。
【請求項１５】
前記制御部は、前記仮想物体の移動が停止した際に、近くに表示されている他の仮想物体の機能、または近くに存在する実物体の性質に応じた終了処理を前記仮想物体に対して行う、請求項１〜１４のいずれか１項に記載の情報処理装置。
【請求項１６】
前記制御部は、出力部により前記仮想物体を表示面に表示するよう制御する、請求項１〜１５のいずれか１項に記載の情報処理装置。
【請求項１７】
前記出力部は、表示装置、プロジェクタ、またはＨＭＤである、請求項１６に記載の情報処理装置。
【請求項１８】
前記仮想物体に対するユーザ操作は、入力部から入力された情報に基づいて取得される、請求項１〜１７のいずれか１項に記載の情報処理装置。
【請求項１９】
表示された仮想物体に対するユーザ操作に応じて前記仮想物体の表示を制御することを含み、
前記仮想物体を移動させる際に、前記仮想物体の移動経路付近に存在する実物体との位置関係に応じて前記仮想物体の表示制御を行う、制御方法。
【請求項２０】
コンピュータを、
表示された仮想物体に対するユーザ操作に応じて前記仮想物体の表示を制御する制御部として機能させ、
前記制御部は、前記仮想物体を移動させる際に、前記仮想物体の移動経路付近に存在する実物体との位置関係に応じて前記仮想物体の表示制御を行う、プログラム。
【手続補正２】
【補正対象書類名】明細書
【補正対象項目名】００２４
【補正方法】変更
【補正の内容】
【００２４】
出力部１３０ａがプロジェクタで構成される場合、出力部１３０ａは、テーブル１４０ａの天面１４１ａに情報を投影する。出力部１３０ａがスピーカで構成される場合、出力部１３０ａは、音声信号に基づいて音声を出力する。スピーカの数は１つであってもよいし、複数であってもよい。出力部１３０ａが複数のスピーカで構成される場合、情報処理装置１００ａは、音声を出力するスピーカを限定したり、音声を出力する方向を調整したりすることができる。
【手続補正３】
【補正対象書類名】明細書
【補正対象項目名】００２６
【補正方法】変更
【補正の内容】
【００２６】
図１に示すような情報処理システムを使用するユーザは、情報処理装置１００ａの出力機能（出力部１３０ａ）によりテーブル１４０ａの天面１４１ａに表示される情報に対して、指などを天面１４１ａに置いて操作することが出来る。
【手続補正４】
【補正対象書類名】明細書
【補正対象項目名】００４４
【補正方法】変更
【補正の内容】
【００４４】
そして、双方のユーザがスマートフォン１を持って席を離れる等、表示終了と認識されると、情報処理装置１００は表示面（天面１４１）のコンテンツをフェードアウトしてシーンを切り替える。
【手続補正５】
【補正対象書類名】明細書
【補正対象項目名】００７７
【補正方法】変更
【補正の内容】
【００７７】
このような摩擦係数は、移動するファイル数に限定されず、ファイルの容量に応じて変化させてもよい。例えば、図２４に示すように、５分間の動画ファイルのコンテンツ３４をスライド移動させる際の摩擦係数は、３０分間の動画ファイルのコンテンツ３５をスライド移動させる際の摩擦係数よりも小さくするよう設定する。このように、移動するコンテンツのサイズ（即ちファイルサイズ）が小さい場合は摩擦係数を小さく設定し、サイズが大きい場合は摩擦係数を大きく設定することで、同じ移動速度で指をコンテンツから離した場合におけるスライド速度およびスライド距離が異なる。具体的には、図２４に示すように、サイズが小さいため摩擦係数を小さく設定されたコンテンツ３４の方が、サイズが大きいため摩擦係数を大きく設定されたコンテンツ３５よりも速い速度で長い距離を移動する。これにより、ユーザは、スライド移動しているコンテンツの容量の大きさを直感的に把握することができる。
【手続補正６】
【補正対象書類名】明細書
【補正対象項目名】０１０１
【補正方法】変更
【補正の内容】
【０１０１】
図３２は、本実施形態による第１の終了処理について説明する図である。図３２に示すように、コンテンツ３０が失速した位置の近くに皿５などの実物体が置かれている場合、制御部１２０は、コンテンツ３０が当該実物体に吸い寄せられるよう表示制御し、さらに実物体の周囲にコンテンツ３０を整列させるよう表示制御する。これにより、実物体の周囲にスライド移動された各コンテンツが乱雑に表示されることを防止することができる。また、制御部１２０は、コンテンツ３０が失速して停止した時点で皿５などの実物体に重なっていた場合、停止位置をずらして実物体と重ならないように位置に移動させてもよい。
【手続補正７】
【補正対象書類名】明細書
【補正対象項目名】０１１０
【補正方法】変更
【補正の内容】
【０１１０】
図３７は、本実施形態による第３の他の終了処理について説明する図である。図３７に示すように、制御部１２０は、コンテンツが停止した近くに居る人の属性に応じて、コンテンツの表示を最適化させる。具体的には、図３７左に示すように、コンテンツ３９が停止した近くに居るユーザＣが高齢者の場合、制御部１２０は、例えばコンテンツ３９のフォントサイズや画像サイズ等を大きくするよう制御する。また、図３７右に示すように、コンテンツ４０が停止した近くに居るユーザＤが外国人の場合、制御部１２０は、例えばコンテンツ４０の文章を翻訳文に変更したり、ロケールを変更したりするよう制御する。なお、人物の属性は、入力部１１０により取得される撮像画像等の解析により得られる。なお、コンテンツ内容の表示の最適化に関して、表示面の領域ごとにどのような変更を加えるべきかの情報が紐づけられ、移動先が含まれる領域に紐づけられた変更内容にて変更を加えてもよい。例えば、英語の領域、ドイツ語の領域、文字を大きく表示させる領域などが予め設定され、コンテンツの移動先が含まれる領域ごとに、英語翻訳、ドイツ語翻訳、文字の拡大などの変更が加えられる。
【手続補正８】
【補正対象書類名】明細書
【補正対象項目名】０１１５
【補正方法】変更
【補正の内容】
【０１１５】
＜４−２．スライド方向延長線上に存在する装置への転送＞
上述した実施形態では、例えば図２５に示すように、天面１４１に置かれた携帯音楽プレイヤー６の近くにコンテンツ３２ａが移動された場合、制御部１２０は携帯音楽プレイヤー６にコンテンツ３２ａを転送するよう制御する。また、図３３に示す例では、天面１４１に置かれたデジタルカメラ７の近くにコンテンツ３７が移動された場合に、制御部１２０がデジタルカメラ７にコンテンツ３７を転送するよう制御している。このように、本実施形態による制御部１２０は、天面１４１に置かれている通信機能を有する装置と無線接続し、当該装置の近くに移動されたコンテンツを自動転送することが可能である。
【手続補正９】
【補正対象書類名】図面
【補正対象項目名】図２９
【補正方法】変更
【補正の内容】
【図２９】
2016051436.tif 000001